(57)【特許請求の範囲】
【請求項１】
コンピューティングデバイスによって処理される信号を生成するように構成される、入力部分と、
該入力部分に物理的に取り付けられ、ディスプレイデバイスを含む前記コンピューティングデバイスの第１の側に固定される取り外し可能な物理的な連結を形成するように構成される、中間背骨材と、
該中間背骨材に物理的に取り付けられる、接続部分とを含み、
該接続部分は、
前記第１の側と異なる前記コンピューティングデバイスの第２の側に固定される取り外し可能な物理的な連結を形成し、且つ
前記入力部分から前記生成される信号を伝えるよう、前記コンピューティングデバイスへの通信的な連結を形成する、
ように構成される、
入力デバイス。
【請求項２】
前記コンピューティングデバイスに対する前記中間背骨材及び前記接続部分の前記物理的な連結は、磁気を用いて行われるように構成される、請求項１に記載の入力デバイス。
【請求項３】
前記中間背骨材及び前記接続部分の前記物理的な連結は、機械的接続を用いて行われるように構成される、請求項１に記載の入力デバイス。
【請求項４】
前記中間背骨材は、相互の回転を可能にするよう、前記入力部分に物理的に取り付けられ、且つ、
前記中間背骨材は、相互の回転を可能にするよう、前記接続部分に物理的に取り付けられる、
請求項１に記載の入力デバイス。
【請求項５】
前記中間背骨材は、第２のヒンジを用いて前記入力部分に物理的に取り付けられ、或いは、
前記中間背骨材は、第１のヒンジを用いて前記接続部分に物理的に取り付けられ、
前記第１のヒンジ又は前記第２のヒンジの少なくとも一方は、フレキシブルヒンジを含む、
請求項１に記載の入力デバイス。
【請求項６】
前記中間背骨材は、機械的ヒンジを用いて前記入力部分に物理的に取り付けられ、或いは、
前記中間背骨材は、機械的ヒンジを用いて前記接続部分に物理的に取り付けられる、
請求項１に記載の入力デバイス。
【請求項７】
前記中間背骨材及び前記接続部分と前記コンピューティングデバイスとの間の前記物理的な連結は、ツールを用いずに、使用者の１つ又はそれよりも多くの手を用いて、取り外し可能である、請求項１に記載の入力デバイス。
【請求項８】
前記入力部分は、前記信号を生成するように構成されるキーボードの１つ又はそれよりも多くのキーを含む、請求項１に記載の入力デバイス。
【請求項９】
コンピューティングデバイスによって処理される信号を生成するように構成される、入力部分と、
第２のフレキシブルヒンジを用いて前記入力部分に物理的に取り付けられ、前記コンピューティングデバイスの第１の側に固定される取り外し可能な物理的な連結を形成するように構成される、中間背骨材と、
第１のフレキシブルヒンジを用いて前記中間背骨材に物理的に取り付けられる、接続部分とを含み、
該接続部分は、
前記第１の側と異なる前記コンピューティングデバイスの第２の側に固定される取り外し可能な物理的な連結を形成し、且つ、
前記入力部分から前記生成される信号を伝えるよう、前記コンピューティングデバイスへの通信的な連結を形成する、
ように構成される、
入力デバイス。
【請求項１０】
使用者の１つ又はそれよりも多くの手によって保持されるのに適したハウジングを有するモバイルコンピューティングデバイスであって、前記ハウジングは、ディスプレイデバイスを含む第１の側を有する、モバイルコンピューティングデバイスと、
該モバイルコンピューティングデバイスによって処理される信号を生成するように構成される入力部分と、該入力部分に物理的に取り付けられ、前記モバイルコンピューティングデバイスの前記第１の側に固定される取り外し可能な物理的な連結を形成するように構成される、中間背骨材と、該中間背骨材に物理的に取り付けられ、前記第１の側と異なる前記モバイルコンピューティングデバイスの前記ハウジングの第２の側への取り外し可能な物理的な及び通信的な連結を形成するように構成される、接続部分とを含む、入力デバイスとを含む、
システム。
【請求項１１】
前記中間背骨材は、第２のヒンジを用いて前記入力部分に物理的に取り付けられ、或いは、
前記中間背骨材は、第１のヒンジを用いて前記接続部分に物理的に取り付けられ、
前記第１のヒンジ又は前記第２のヒンジの少なくとも一方は、フレキシブルヒンジを含む、
請求項１０に記載のシステム。
【発明の詳細な説明】
【背景技術】
【０００１】
モバイルセッティング(mobile  setting)において使用者に利用可能にされる機能性を増大させるために、モバイルコンピューティングデバイスが開発されている。例えば、使用者は、ｅメールを確認する、ウェブサーフィングを行う、テキストを書く、アプリケーションと相互作用する等のために、携帯電話、タブレットコンピュータ、又は他のモバイルコンピューティングデバイスと相互作用することがある。
【０００２】
しかしながら、モバイルコンピューティングデバイスは携帯できる(mobile)ように構成されるので、デバイスは多種多様なセッティングにおいて利用されることがある。従って、モバイルコンピューティングデバイスを環境(environment)から守る並びにこれらのセッティングにおけるデバイスとの相互作用をサポートするデバイスが開発された。しかしながら、コンピューティングデバイスにデバイスを装着し且つコンピューティングデバイスからデバイスを取り外す従来的な技法は、利用するのが困難であり得るし、幾つかの使用者相互作用を制約することがある。
【発明の概要】
【課題を解決するための手段】
【０００３】
入力デバイス取付け技法を記載する。１つ又はそれよりも多くの実施では、デバイスが、ディスプレイデバイスを覆うよう、コンピューティングデバイスのディスプレイデバイスの上に位置付けられるように構成される、部分（例えば、入力部分又はカバー）を含む。デバイスは、ディスプレイデバイスに対する前記部分の回転動作をサポートするような方法において前記部分に物理的に取り付けられる、背骨材（例えば、中間背骨材）を含む。背骨材の物理的な取付けは、ディスプレイデバイスを含むコンピューティングデバイスの表面と背骨材との間の磁気結合を用いて、取り外し可能であるように構成される。
【０００４】
１つ又はそれよりも多くの実施態様において、入力デバイスが、コンピューティングデバイスによって処理される信号を生成するように構成される入力部分と、入力部分に物理的に取り付けられ、ディスプレイデバイスを含むコンピューティングデバイスの第１の側に固定される取り外し可能な物理的な連結を形成するように構成される中間背骨材とを含む。入力デバイスは、中間背骨材に物理的に取り付けられる接続部分も含む。接続部分は、第１の側と異なるコンピューティングデバイスの第２の側に固定される取り外し可能な物理的な連結を形成し、且つ入力部分から生成される信号を伝えるよう、コンピューティングデバイスへの通信的な連結を形成するように、構成される。
【０００５】
１つ又はそれよりも多くの実施態様において、入力デバイスが、コンピューティングデバイスによって処理される信号を生成するように構成される入力部分と、フレキシブルヒンジを用いて入力部分に物理的に取り付けられ、コンピューティングデバイスの第１の側に固定される取り外し可能な物理的な連結を形成するように構成される中間背骨材と、フレキシブルヒンジを用いて中間背骨材に物理的に取り付けられる接続部分とを含む。接続部分は、コンピューティングデバイスの第２の側に固定される取り外し可能な物理的な連結を形成し、且つ入力部分から前記生成される信号を伝えるよう、コンピューティングデバイスへの通信的な連結を形成するように、構成される。
【０００６】
１つ又はそれよりも多くの実施態様において、システムが、モバイルコンピューティングデバイスと、入力デバイスとを含む。モバイルコンピューティングデバイスは、使用者の１つ又はそれよりも多くの手によって保持されるのに適したハウジングを有し、ハウジングは、ディスプレイデバイスを含む第１の側を有する。入力デバイスは、コンピューティングデバイスによって処理される信号を生成するように構成される入力部分と、入力部分に物理的に取り付けられ、コンピューティングデバイスの第１の側に固定される取り外し可能な物理的な連結を形成するように構成される中間背骨材と、中間背骨材に物理的に取り付けられ、コンピューティングデバイスのハウジングの第２の側への取り外し可能な物理的な及び通信的な連結を形成するように構成される接続部分とを含む。
【０００７】
この概要は、発明を実施するための形態において以下に更に記載する一揃いの着想を簡略化された形態において持ち出すために提供される。この概要は、請求する主題の鍵となる構成または本質的な構成を特定することを意図しないし、請求する主題の範囲を決定する助けとして用いられることも意図しない。
【０００８】
詳細な記述は、添付の図面を参照して記載される。図面において、参照番号の最左側の数字（複数の数字）は、参照番号が最初に現れる図面を特定する。記述及び図面中の異なる場合における同じ参照番号の使用は、類似の又は同一の品目を示すことがある。図面において表される実体は、１つ又はそれよりも多くの実体を示すことがあり、よって、議論中の実体の単数形態又は複数形態は交換可能に参照されてよい。
【図面の簡単な説明】
【０００９】
【図１】ここに記載する入力デバイス取付け技法を利用するように動作可能である例示的な実施における環境の例示である。
【００１０】
【図２】回転可能なヒンジを詳細に示すときの図１の入力デバイスの例示的な実施を示している。
【００１１】
【図３】コンピューティングデバイスのディスプレイデバイスを覆うときのコンピューティングデバイスに対する入力デバイスの例示的な向きを示している。
【００１２】
【図４】タイピング向きを取るときのコンピューティングデバイスに対する入力デバイスの例示的な向きを示している。
【００１３】
【図５】コンピューティングデバイスの裏側ハウジングを覆い且つコンピューティングデバイスのディスプレイデバイスを露出するときのコンピューティングデバイスに対する入力デバイスの例示的な向きを示している。
【００１４】
【図６】コンピューティングデバイスの裏側を覆うように構成される部分を含むときの入力デバイスの例示的な向きを示しており、それはこの場合にはコンピューティングデバイスのキックスタンドを支持するために用いられる。
【００１５】
【図７】図６の部分を含む入力デバイスがコンピューティングデバイスの正面及び裏面の両方を覆うために用いられる例示的な向きを示している。
【００１６】
【図８】機械的連結突起と複数の通信接点とを含む図２の接続部分の斜視図を示す例示的な実施を示している。
【００１７】
【図９】通信接点を示すある軸に沿って取られた断面及びコンピューティングデバイスの空洞の断面をより詳細に示している。
【００１８】
【図１０ａ】入力デバイスがコンピューティングデバイスのディスプレイデバイスのためのカバーとして働く図３に示すような向きにあるときの、入力デバイスのフレキシブルヒンジ、接続部分、及びコンピューティングデバイスの断面を示している。
【００１９】
【図１０ｂ】フレキシブルヒンジの動作を支持し且つこの動作中の入力デバイスの構成部品を保護するように構成される支持層を示す例示的な実施を示している。
【００２０】
【図１１】磁気結合デバイスを示すある軸に沿って取られた断面及びコンピューティングデバイスの空洞の断面をより詳細に示している。
【００２１】
【図１２】磁束泉を実施するために入力デバイス又はコンピューティングデバイスによって利用されることがある磁気結合部分の実施例を示している。
【００２２】
【図１３】磁束泉を実施するために入力デバイス又はコンピューティングデバイスによって利用されることがある磁気結合部分の他の実施例を示している。
【００２３】
【図１４】機械的連結突起を示すある軸に沿って取られた断面及びコンピューティングデバイスの空洞の断面をより詳細に示している。
【００２４】
【図１５】ここに記載する技法の実施態様を実施するために図１乃至１３を参照して記載するようなコンピューティングデバイスのいずれかの種類として実施され得る例示的なデバイスの様々な構成部品を含む例示的なシステムを示している。
【発明を実施するための形態】
【００２５】
（概観）
様々な機能性をもたらすために、様々な異なるデバイスがモバイルコンピューティングデバイスに物理的に取り付けられることがある。例えば、コンピューティングデバイスを危害から保護するために、デバイスが、コンピューティングデバイスの少なくともディスプレイデバイスのためのカバーをもたらすように構成されることがある。コンピューティングデバイスに入力を提供する入力デバイス（例えば、トラックパッドを有するキーボード）のような、他のデバイスが、モバイルコンピューティングデバイスに物理的に取り付けられることもある。更に、これらのデバイスの機能性は、例えば、カバー及び入力デバイスの組み合わせをもたらすよう、組み合わせられてよい。しかしながら、デバイスをコンピューティングデバイスに取り付けるのに利用される従来的な技法は、幾つかの場合に、安定性を欠くことがあり、従って、例えば、タイピングのためにコンピューティングデバイス及び入力デバイスを使用者の膝の上に位置付けるとき、幾つかの使用者相互作用を制約することがある。
【００２６】
入力デバイス取付け技法を記載する。１つ又はそれよりも多くの実施において、取付け技法は、入力デバイス（例えば、キーボード）と、タブレットコンピュータのような、コンピューティングデバイスとの間の、接続の安定化を向上させるように構成される。入力デバイスは、例えば、（磁気(magnetism)を介して）コンピューティングデバイスの下方側に物理的に繋がるように構成され、通信的な連結をサポートするようにも構成される。中間背骨材が、接続部分と（例えば、キーを有する）入力部分との間に含められて、コンピューティングデバイスの正面、例えば、ディスプレイデバイスを有する側面への物理的な接続をサポートする。従って、入力部分は、例えば、使用者の膝の上に位置付けられるときにキーボード上でタイピングするのをサポートするよう、これらの物理的な接続の組み合わせから安定性を得ることがある。これらの及び他の技法の更なる議論は、以下の段落に関連して見出されることがある。
【００２７】
以下の議論では、ここに記載する技法を利用することがある例示的な環境を先ず記載する。次に、例示的な環境並びに他の環境において行われることがある例示的な手順を記載する。結果的に、例示的な手順の遂行(performance)は、例示的な環境に限定されず、例示的な環境は、例示的な手順の遂行に限定されない。更に、入力デバイスを記載するが、カバーのような、入力機能性を含まない他のデバイスも想定される。例えば、これらの技法は、以下に更に記載するように、受動デバイス、例えば、コンピューティングデバイスの磁気結合デバイスに引き付けられるようカバー内に構成され且つ位置付けられる１つ又はそれよりも多くの材料（例えば、磁石、鉄を含む材料等）を有するカバー、突起及び接続部分の使用等に等しく適用可能である。
【００２８】
（例示的な環境）
図１は、ここに記載する技法を利用するように動作可能である例示的な実施における環境１００の例示である。例示的な環境１００は、回転可能なヒンジ１０６（蝶番）を介して保護デバイス１０４に物理的及び通信的に連結されるコンピューティングデバイス１０２の例である。コンピューティングデバイス１０２は、様々な方法において構成されてよい。例えば、コンピューティングデバイス１０２は、携帯電話、例示するようなタブレットコンピュータ等のような、モバイル使用(mobile  use)のために構成されてよい。よって、コンピューティングデバイス１０２は、実質的なメモリ及びプロセッサリソース（資源）を備えるフルリソースデバイスから、限定的なメモリ及び／又は処理リソースを備える低リソースデバイスに亘ることがある。コンピューティングデバイス１０２は、コンピューティングデバイス１０２に１つ又はそれよりも多くの作業を行わせるソフトウェアに関連することもある。
【００２９】
コンピューティングデバイス１０２は、例えば、入力／出力モジュール１０８を含むものとして例示されている。入力／出力モジュール１０８は、コンピューティングデバイス１０２の入力の処理及び出力を行うことに関する機能性を示す。入力デバイス１０４のキー、ディスプレイデバイス１１０のタッチスクリーン機能性及び／又は入力デバイス１０４を通じて認識されることがある身振りを識別し且つ身振りに対応する作業を行わせるようディスプレイデバイス１１０によって表示される仮想キーボードのキー等に対応する機能に関する入力のような、様々な異なる入力が、入力／出力モジュール１０８によって処理されてよい。よって、入力／出力モジュール１０８は、キーの押込み、身振り等を含む、入力の種類の間の区分(division)を認識し且つ活用することによって、様々な異なる入力技法をサポートしてよい。
【００３０】
例示する実施例において、入力デバイス１０４は、ＱＷＥＲＴＹ配列のキーとトラックパッドとを有するキーボードを含む入力部分を有するが、他の配列のキーも想定される。更に、ゲームコントローラ、楽器を真似た構成等のような、従来的でない構成も想定される。よって、入力デバイス１０４及び入力デバイス１０４によって組み込まれるキーは、様々な異なる機能性をサポートする様々な異なる構成を取ってよい。
【００３１】
前述のように、入力デバイス１０４は、この実施例では、様々な方法において構成されてよい回転可能なヒンジ１０６の使用を通じて、コンピューティングデバイス１０２に物理的に及び通信的に連結される。回転可能なヒンジ１０６は、例えば、ヒンジによって支持される回転動作がヒンジを形成する材料の撓み(flexing)（例えば、曲げ(bending)）を通じて達成されるという点においてフレキシブル（可撓）であってよい。ピン、摩擦ヒンジ等の使用を通じて機械的回転を支持するように構成される機械的ヒンジのような、他の実施例も想定される。
【００３２】
この回転は、１つ又はそれよりも多くの方向（例えば、図面中の垂直）における動きを支持するが、コンピューティングデバイス１０２に対する入力デバイス１０４の横方向の動きのような、他の方向における動きを制限するように、構成されてよい。これは、例えば、電力状態、アプリケーション状態等を変更するために用いられるセンサを整列させるために、コンピューティングデバイス１０２に対する入力デバイス１０４の一貫したアライメント（整列）をサポートするために用いられてよい。
【００３３】
回転可能なヒンジ１０６は、例えば、１つ又はそれよりも多くの織物の層を用いて形成されてよく、入力デバイス１０４をコンピューティングデバイス１０２に通信的に連結する或いはコンピューティングデバイス１０２を入力デバイス１０４に通信的に連結するフレキシブルなトレースとして形成される導体を含んでよい。この通信は、例えば、キーの押込みの結果をコンピューティングデバイス１０２に伝え、コンピューティングデバイスから電力を受け取り、認証を行い、コンピューティングデバイス１０２に補助電力を提供する等のために、用いられてよい。回転可能なヒンジ１０６は、様々な方法において構成されてよく、その更なる議論は、後続の図面に関連して見出されることがある。
【００３４】
図２は、回転可能なヒンジ１０６を更に詳細に示すものとして、図１の入力デバイス１０４の例示的な実施２００を描写している。この実施例では、入力デバイス１０４とコンピューティングデバイス１０２との間の通信的な及び物理的な接続をもたらすように構成される、入力デバイスの接続部分２０２が、示されている。例示するような接続部分２０２は、コンピューティングデバイス１０２のハウジングにある通路内に受け入れられるように構成される高さ及び断面を有するが、この構成はその精神及び範囲から逸脱せずに逆転させられてもよい。
【００３５】
接続部分２０２は、回転可能なヒンジ１０６(hinge)の使用を通じてキーを含む入力デバイス１０４の部分にフレキシブルに接続される。よって、接続部分２０２がコンピューティングデバイス１０２に物理的に接続されるとき、接続部分２０２及び回転可能なヒンジ１０６の組み合わせは、書物ののど布(hinge)と類似するコンピューティングデバイス１０２に対する入力デバイス１０４の動きをサポートする。
【００３６】
接続部分２０２は、この実施例において、磁気結合デバイス２０４，２０６(magnetic  coupling  devices)、機械的連結突起２０８，２１０(mechanical  coupling  protrusions)、及び複数の通信接点２１２(communication  contacts)を含むものとして例示されている。磁気結合デバイス２０４，２０６は、１つ又はそれよりも多くの磁石の使用を通じて、接続部分２０２をコンピューティングデバイス１０２の相補的な磁気結合デバイスに磁気的に連結するように構成される。機械的な係止機構等を利用する機械的な実施例のような、他の実施例も想定される。
【００３７】
接続部分２０２は、入力デバイス１０４とコンピューティングデバイス１０２との間の機械的な物理的な接続を形成するよう、機械的連結突起２０８，２１０も含む。機械的連結突起２０８，２１０を図８に関連してより詳細に示す。
【００３８】
回転可能なヒンジ１０６は、前述のように、入力デバイス１０４の入力部分（例えば、キー）を接続部分２０２に取り付けるために利用される。これは、使用中に入力デバイス１０４の入力部分の安定を促進する技法の使用を含む、様々な方法において行われてよい。例えば、回転可能なヒンジ１０６は、第１及び第２のヒンジ２１６，２１８を用いて接続部分２０２及び入力部分に取り付けられる、中間背骨材２１４を含んでよい。第１及び第２のヒンジ２１６，２１８は、フレキシブルヒンジ、機械的ヒンジ（例えば、摩擦ヒンジ、ピンに基づくヒンジ）等のような、様々な方法において構成されてよい。
【００３９】
中間背骨材２１４は、１つ又はそれよりも多くの磁石の使用を通じて、中間背骨材２１４をコンピューティングデバイス１０２の相補的な磁気結合デバイスに磁気的に連結するように構成される、磁気結合デバイス２２０，２２２も含む。このようにして、中間背骨材２１４は、磁力(magnetic  attraction)の使用を通じてコンピューティングデバイス１０２に物理的に固定されてよい。機械的な係止機構等を利用する機械的な実施例のような、他の実施例も想定される。
【００４０】
この回転的な動きを通じて、コンピューティングデバイス１０２に対する入力デバイス１０４の様々な異なる向きがサポートされてよい。例えば、回転的な動きは、入力デバイス１０４がコンピューティングデバイス１０２のディスプレイデバイス１１０に対して配置され、それにより、図３の例示的な向き３００において示されるようなカバーとして働くように、回転可能なヒンジ１０６によって支持されてよい。よって、入力デバイス１０４は、コンピューティングデバイス１０２のディスプレイデバイス１１０を危害から保護するように働くことがある。
【００４１】
図４の例示的な向きに示すように、タイピング配置がサポートされる。この向きにおいて、入力デバイス１０４は、表面４０２に対して平らに置かれ、コンピューティングデバイス１０２は、例えば、コンピューティングデバイス１０２の背面(rear  surface)に配置されるキックスタンド４０４の使用を通じて、ディスプレイデバイス１１０を見るのを可能にする角度に配置される。この配置は、安定的な表面に配置されるときには成功することがあるが、使用者の膝のような不安定な表面に配置されるときには従来的な技法を用いて不便であり得る。
【００４２】
従って、回転可能なヒンジ１０６は、接続部分２０２及び中間背骨材２１４がコンピューティングデバイス１０２の異なる側面に配置されるように構成される。接続部分２０２は、例えば、図２に関連して記載し且つ図１１に関連しても詳細に示すような、磁気結合デバイス２０４，２０６の使用を通じて、例えば、コンピューティングデバイス１０２の底面に対する取り外し可能な物理的な継手（連結)(coupling）形成するように構成されてよい。これは図９に関連して更に記載するような通信的な継手（連結)(coupling）を形成するために用いられてもよい。
【００４３】
中間背骨材２１４は、この実施例ではディスプレイデバイス１１０を含む正面であるコンピューティングデバイス１０２の第２の側面に対する取り外し可能な物理的な連結を形成するものとして例示されている。この取り外し可能な物理的な連結は、コンピューティングデバイス１０２の相補的な磁気結合デバイス４０４に対する物理的な確実な接続を形成する磁気結合デバイス２１４を用いて実施される。よって、中間背骨材２１４とコンピューティングデバイス１０２を備える接続部分２０２との間の物理的な連結は、ツールを用いずに使用者の１つ又はそれよりも多くの手を用いて取り外し可能である。
【００４４】
この実施例におけるヒンジ２１６は、フレキシブルであり、この実施例では、接続部分２０２と中間背骨材２１４との間である、２つの側面の間の隅の周りで曲がる。中間背骨材２１４は、この実施例において同様にフレキシブルであるヒンジ２１８を用いて、入力デバイス１０４の入力部分４０６にも接続される。（例えば、この実施例では、撓みを介した）回転は、入力部分４０６を中間背骨材２１４から懸架する。
【００４５】
中間背骨材２１４を介して入力部分２０６の懸架を通じて、入力デバイス１０４は、改良された安定を有することがある。例えば、図面中に仮想矢印として例示する、使用者から入力部分４０６との相互作用を介して受ける力は、中間背骨材２１４によって支持されることがある。よって、従来的な技法を用いるときに直面させられることがあるような回転可能なヒンジ１０６の「遊び」(“play”)は、少なくされることがあり、防止されることさえある。
【００４６】
ヒンジ２１６，２１８の可撓性及び取り外し可能な物理的な接続をサポートする磁気の使用を記載したが、回転可能なヒンジ１０６の実施のための様々な他の実施例も想定される。例えば、機械的摩擦ヒンジを用いてヒンジ２１６，２１８を形成してよい。従って、この実施例において、中間背骨材２１４は、コンピューティングデバイス１０２の正面に物理的に固定されないで、コンピューティングデバイス１０２の正面に近接して配置されてよく、例えば、物理的な接続は、この実施例では、専ら接続部分２０２によってもたらされる。他の実施例において、取外し可能な物理的な取付けは、機械的固定デバイス、例えば、すべりフック及びスロット構成(sliding  hook  and  slot  arrangement)の使用を通じて、サポートされてよい。
【００４７】
図５の例示的な向き５００において、入力デバイス１０４は、コンピューティングデバイス１０２の裏面(back)に対して、例えば、コンピューティングデバイス１０２上でディスプレイデバイス１１０と反対に配置されるコンピューティングデバイス１０２の裏側ハウジングに対して配置されるよう、回転させられてもよい。この実施例では、コンピューティングデバイス１０２に対する接続部分２０２の向きを通じて、回転可能なヒンジ１０６は、接続部分２０２を「包み込んで」(“wrap  around”)、入力デバイス１０４をコンピューティングデバイス１０２の背面に位置付けるようにさせられる。
【００４８】
この包込み(“wrapping”)は、コンピューティングデバイス１０２の裏側(rear)の部分を露出させられたままにさせる。これは、例えば、この例示的な実施５００において、コンピューティングデバイス１０２の裏側の有意な部分が入力デバイス１０４によって覆われるとしても、コンピューティングデバイス１０２の裏側に位置付けられるカメラが用いられるのを可能にするよう、様々な機能性のために活用されてよい。どの時点においてもコンピューティングデバイス１０２の単一の側面を覆う入力デバイス１０４の構成を上述したが、他の構成も想定される。
【００４９】
図６の例示的な向き６００において、入力デバイス１０４は、コンピューティングデバイスの裏側を覆うように構成される部分６０２を含むものとして例示されている。この部分６０２は、フレキシブルヒンジ６０４を用いて接続部分２０２にも接続される。この例示的な向き６００は、図４に関連して前述したように、入力デバイス１０４が表面に対して平らに置かれ、コンピューティングデバイス１０２がディスプレイデバイス１１０を見るのを可能にする角度に配置される、タイピング配置も例示している。これはこの実施例において部分６０２と接触するようコンピューティングデバイス１０２の背面に配置されるキックスタンド４０４の使用を通じて支持される。１つ又はそれよりも多くの実施において、入力デバイス１０４は、この部分６０２とキックスタンド４０４との間に取り外し可能に物理的に接続されてよく、それはシステムの安定性を向上させるために用いられてもよい。例えば、この接続は、他の接続の、例えば、中間背骨材２１４及び接続部分２０２の１つの取外しも可能にすることがある。
【００５０】
図７は、コンピューティングデバイス１０２の正面（例えば、ディスプレイデバイス１１０）及び裏面（例えば、ディスプレイデバイスから見たハウジングの反対の側面）の両方を覆うために、部分６０２を含む入力デバイス１０４が用いられる、例示的な向き７００を描写している。１つ又はそれよりも多くの実施では、例えば、閉じられるときに補助電力を提供するために、電気的又は他のコネクタが、コンピューティングデバイス１０２及び／又は入力デバイス１０４の側面に沿って配置されてもよい。
【００５１】
当然ながら、様々な他の向きもサポートされる。例えば、コンピューティングデバイス１０２及び入力デバイス１０４は、両方が図１に示すように表面に対して平坦に置かれるような構成を取ってよい。三脚配置、ミーティング配置、プレゼンテーション配置等のような、他の実施例も想定される。
【００５２】
図８は、機械的連結突起２０８，２１０及び複数の通信接点２１２を含む図２の接続部分２０２の斜視図を示す例示的な実施８００を描写している。例示するように、機械的連結突起２０８，２１０は、接続部分２０２の表面から離れる方向に延びるように構成されており、それはこの場合には垂直であるが、他の角度も想定される。
【００５３】
機械的連結突起２０８，２１０は、コンピューティングデバイス１０２の通路内の相補的な空洞内に受け入れられるように構成される。そのように受け入れられるとき、機械的連結突起２０８，２１０は、突起の高さ及び空洞の深さと対応するように定められる軸と整列させられない力が適用されるときに、デバイス間の機械的結合(mechanical  binding)を促進し、その更なる議論は、図１４に関連して見出されることがある。
【００５４】
接続部分２０２は、複数の通信接点２１２を含むものとしても例示されている。複数の通信接点２１２は、後続の図面に関連してより詳細に示し且つ議論するデバイスの間の通信的連結を形成するよう、コンピューティングデバイス１０２の対応する通信接点と接触するように構成される。
【００５５】
図９は、通信接点２１２の１つを示す図２及び８の軸９００に沿って取られた断面並びにコンピューティングデバイス１０２の空洞の断面を詳細に描写している。接続部分２０２は、空洞９０４内の突出部９０２(projection)の動きが制限されるように、例えば、相補的な形状を有する、コンピューティングデバイス１０２の通路９０４と相補的であるように構成される、突出部９０２を含むものとして例示されている。
【００５６】
通信接点２１２は、様々な方法において構成されてよい。例示する実施例において、接続部分２０２の通信接点２１２は、接続部分２０２のバレル９０８内に捕捉されるバネ荷重ピン９０６として形成される。バネ荷重ピン９０６は、入力デバイス１０４とコンピューティングデバイス１０２との間の、例えば、コンピューティングデバイス１０２の接点９１０に対する、一貫した通信接触をもたらすよう、バレル９０８から外向きに付勢される。従って、接触、従って、通信は、デバイスの移動又は揺動(jostling)中に維持されることがある。コンピューティングデバイスへのピンの配置及び入力デバイス１０４への接点の配置を含む、様々な他の実施例も想定される。
【００５７】
回転可能なヒンジ１０６も、図９の実施例により詳細に示されている。この断面における回転可能なヒンジ１０６は、接続部分２０２の通信接点２１２を、入力デバイス１０４の入力部分９１４、例えば、１つ又はそれよりも多くのキー、トラックパッド等と通信的に連結させる、導体９１２を含む。導体９１２は、例えば、ヒンジ１０６の反復的な撓みをサポートするために、フレキシブルヒンジの部分としての動作を可能にする動作的な可撓性を有する銅トレースのような、様々な方法において形成されてよい。しかしながら、導体９１２の可撓性は、限定的であってよく、例えば、最小曲げ半径より上で行われる撓みについて信号を伝えるよう使用可能(operational)なままであってよい。
【００５８】
従って、回転可能なヒンジ１０６は、回転可能なヒンジ１０６がその半径よりも下の撓みに抗するよう、導体９１２の使用可能な可撓性に基づき最小曲げ半径をサポートするように構成されてよい。様々な異なる技法が利用されてよい。回転可能なヒンジ１０６は、例えば、織物、マイクロファイバ布等で形成されてよい、第１及び第２の外側層９１６，９１８を含むように構成されてよい。第１の外側層及び／又は第２の外側層９１６，９１８を形成するために用いられる材料の可撓性は、導体９１２が接続部分２０２に対する入力部分９１４の動作中に破れないように或いはその他の方法において使用不能にされないように、上述のような可撓性をサポートするように構成されてよい。
【００５９】
他の実施例において、回転可能なヒンジ１０６は、接続部分２０２と入力部分９１４との間に配置される（例えば、図２の中間背骨材２１４に対応してよい）中間背骨材９２０を含んでよい。中間背骨材９２０は、例えば、入力部分９０４を中間背骨材９２０にフレキシブルに接続する第１のフレキシブル部分９２２と、中間背骨材９２０を接続部分９２０に接続する第２のフレキシブル部分９２４とを含む。
【００６０】
例示する実施例において、第１及び第２の外側層９１６，９１８は、（回転可能なヒンジ１０６の第１及び第２のフレキシブル部分９２２，９２４を通じて）入力部分９１４から延び（且つそのカバーとして作用し）、例えば、締付け（クランピング）、接着等を介して、接続部分２０２に固定される。導体９１２は、第１及び第２の外側層９１６，９１８の間に配置される。中間背骨材９２０は、所望の最小曲げ半径をサポートするよう、回転可能なヒンジ１０６の特定の場所に機械的剛性をもたらすように構成され、その更なる議論は、後続の図面に関連して見出されることがある。
【００６１】
図１０ａは、コンピューティングデバイス１０２の断面１０００を描写しており、入力デバイス１０４の回転可能なヒンジ１０６及び接続部分２０２は、図３に示すように向けられており、図３において、入力デバイス１０４は、コンピューティングデバイス１０２のディスプレイデバイス１１０のためのカバーとして作用する。例示するように、この向きは回転可能なヒンジ１０６を曲げさせる。第１及び第２のフレキシブル部分９２２，９２４のサイジング(sizing)を通じて、曲げは、前述のように導体９１２の動作曲げ半径(operational bend radius)を超えない。このようにして、機械的剛性は、導体９１２を保護することがある。
【００６２】
中間背骨材９２０は様々な他の機能性をサポートするために用いられてもよい。例えば、中間背骨材９２０は、図１に示すような長手軸に沿う動きをサポートしながら、さもなければ回転可能なヒンジ１０６の可撓性の故に直面させられることがある緯度軸に沿う動きに抗するのを助けることがある。
【００６３】
図１０ｂは、回転可能なヒンジ１０６の動作をサポートするように構成される並びにこの動作中に入力デバイス１０４の構成部品を保護するように構成される支持層１０５２を示す例示的な実施１０５０を描写している。図３乃至７に関連して示すように、回転可能なヒンジ１０６は、異なる構成を取るよう、様々な度合いの曲げをサポートするように構成されてよい。
【００６４】
しかしながら、回転可能なヒンジ１０６を形成するように、例えば、回転可能なヒンジ１０６の第１及び第２の外側層９１６，９１８を形成するように選択される材料は、所望の「外観及び感触」(“look  and  feel”)をサポートするように選択されてよく、従って、引裂き(tearing)及び伸張(stretching)に対する所望の弾性(resiliency)をもたらさないことがある。従って、そのような場合には、これは導体９１２の操作性(operability)に対して影響を有し得る。例えば、前述のように、使用者は、一方の手で入力デバイス１０４を把持し、磁石によってサポートされる磁力及び突起２０８を分離することによって入力デバイス１０４をコンピューティングデバイス１０２から引き離してよい。従って、これは、第１若しくは第２の外側層９１６，１９８又は他の構造からの十分なサポートが存在しないとき、導体を破壊するのに十分な導体に適用される力の量をもたらし得る。
【００６５】
従って、入力デバイス１０４は、回転可能なヒンジ１０６及び入力デバイス１０４の他の構成部品を保護するように構成されてよい支持層１０５２を含んでよい。例えば、支持層１０５２は、第１又は第２の外側層９１６，９１８を形成するのに用いられる材料よりも高い引裂き及び伸張に対する抵抗を有する材料、例えば、マイラーとしても知られる二軸配向ポリエチレンテレフタレート（ＢｏＰＥＴ）で形成されてよい。
【００６６】
よって、支持層１０５２によってもたらされる支持は、回転可能なヒンジ１０６の第１及び第２の外側層９１６，９１８を形成するのに用いられる材料を保護するのを助けることがある。支持層１０５２は、接続部分２０２をキーと通信的に連結するために用いられる導体９１２のような、ヒンジを通じて配置される構成部品を保護するのも助ける。
【００６７】
例示する実施例において、支持層１０５２は、図１に示すようなキー、トラックパッド等を含む、入力デバイス１０４の入力部分９１４の部分として配置されるように構成される、部分１０５４を含む。支持層１０５２は、接続部分２０２に固定されるよう回転可能なヒンジ１０６を通じて部分１０５４から延びるように構成される、第１及び第２のタブ１０５６，１０５８も含む。タブ１０５６，１０５８が、例示する１つ又はそれよりも多くの孔を含むように、様々な方法において固定されてよく、突起（例えば、ネジ、ピン等）が、タブ１０５６，１０５８を接続部分２０２に固定するよう、１つ又はそれよりも多くの孔を通じて挿入されてよい。
【００６８】
第１及び第２のタブ１０５６，１０５８は、この実施例において、接続部分２０２の概ね両側で繋がるように構成されるように例示されている。このようにして、例えば、接続部分２０２によって定められる長手軸に対して垂直である、望ましくない回転動作が制限されることがある。よって、回転可能なヒンジ１０６及び接続部分２０２の比較的中間地点に配置される導体９１２は、引裂き、伸張、及び他の力から保護されることもある。
【００６９】
この例示する実施例における支持層１０５２は、図９及び１０ａに関連して記載する中間背骨材９２０の部分を形成するように構成される中間背骨材部分１０６０も含む。よって、支持層１０５２は、中間背骨材９２０の機械的剛性を増大させ且つ前述のような最小曲げ半径に寄与するようにも作用する。第１及び第２のタブ１０５６，１０５８を例示するが、記載する機能性をサポートするために、より多い又はより少ないタブが支持層１０５２によって利用されてもよいことが、直ちに明らかであるはずである。
【００７０】
図１１は、磁気結合デバイス２０４を示す図２及び８の軸１１００に沿って取られた断面並びにコンピューティングデバイス１０２の空洞９０４の断面をより詳細に描写している。この実施例では、磁気結合デバイス２０４の磁石が接続部分２０２内に配置されるものとして例示されている。
【００７１】
接続部分２０２及び通路９０４の動きは、共に、磁石１１０２をコンピューティングデバイス１０２の磁気結合デバイス１１０６の磁石１１０４に引き付けさせることがあり、磁石８０６は、この実施例では、コンピューティングデバイス１０２のハウジングの通路９０４内に配置される。１つ又はそれよりも多くの実施において、回転可能なヒンジ１０６の可撓性は、接続部分２０２を通路９０４内に「パチンと入らせる」(“snap  into”)ことがある。更に、これは、機械的連結突起２０８が空洞内への挿入のために整列させられるよう並びに通信接点２０８が通路内のそれぞれの接点９１０と整列させられるよう、接続部分２０２を通路９０４と「一列に並べさせる」(“line  up”)こともある。
【００７２】
磁気結合デバイス２０４，１１０６は、様々な方法において構成されてよい。例えば、磁気結合デバイス２０４は、磁石１１０２によって生成される磁場を裏当て１１０８から離れる方向に外向きに拡張させるよう、（例えば、鋼のような）裏当て８１０を利用してよい。よって、磁石１１０２によって生成される磁場の範囲は拡張させられることがある。様々な他の構成が磁気結合デバイス２０４，１１０６によって利用されもよく、それらの実施例を以下に参照する図面に関して記載し且つ示す。
【００７３】
図１２は、磁束泉(flux  fountain)を実施するために入力デバイス１０４又はコンピューティングデバイス１０２によって利用されてよい磁気結合部分の実施例１２００を描写している。この実施例では、複数の磁石の各々についての磁場のアライメントを矢印を用いて示している。磁束泉は、取り外し可能な物理的な連結をもたらすよう、図２の中間背骨材２１４及び／又は接続部分２０２によって利用されてよい。
【００７４】
第１の磁石１２０２が、ある軸に沿って整列させられる磁場を有する磁気結合デバイス内に配置されている。第２及び第３の磁石１２０４，１０２０６が、第１の磁石１２０２の両側に配置されている。第２及び第３の磁石１２０４，１２０６のそれぞれの磁場のアライメントは、第１の磁石１２０２の軸に対して実質的に垂直であり、概ね互いに対向している。
【００７５】
この場合、第２及び第３の磁石の磁場は、第１の磁石１２０２に向かって照準されている。これは、第１の磁石１２０２の磁場を、示される軸に沿って更に拡張させ、それにより、第１の磁石１２０２の磁場の範囲を増大させる。
【００７６】
その効果は第４及び第５の磁石１２０８，１２１０を用いて更に拡張させられてよい。この実施例において、第４及び第５の磁石１２０８，１２１０は、第１の磁石１２０２の磁場と実質的に反対であるように整列させられる磁場を有する。更に、第２の磁石１２０４は、第４の磁石１２０８と第１の磁石１２０２との間に配置されている。第３の磁石１２０６は、第１の磁石１２０２と第５の磁石１２１０との間に配置されている。よって、第４及び第５の磁石１２０８，１２１０の磁場は、それらのそれぞれの軸に沿って更に拡張させられてもよく、それはこれらの磁石並びに集団内の他の磁石の強さを更に増大させることがある。５個の磁石のこの配置は、磁束泉を形成するのに適する。５個の磁石を記載したが、より一層大きい強さの磁束泉を形成するために、５個以上の任意の奇数の磁石がこの関係を繰り返してよい。
【００７７】
他の磁気結合デバイスに磁気的に付着するために、類似の配置の磁石が、例示する構成の「上に」(“on  top”)又は「下」(“below”)に配置されてよく、よって、例えば、第１、第４、及び第５の磁石１２０２，１２０８，１２１０の磁場は、それらの磁石の上又は下にある対応する磁石と整列させられる。更に、例示する実施例において、第１、第４、及び第５の磁石１２０２，１２０８，１２１０の強さは、第２及び第３の磁石１２０４，１２０６よりも強いが、他の実施も想定される。磁束泉の他の実施例を、図面の以下の議論に関連して記載する。
【００７８】
図１３は、磁束泉を実施するために、入力デバイス１０４又はコンピューティングデバイス１０２によって利用されてよい磁気結合部分の実施例１３００を描写している。この実施例では、複数の磁石の各々のためにも、磁場のアライメントが矢印を用いて示されている。
【００７９】
図１２の実施例１２００と同様に、第１の磁石１３０２が、ある軸に沿って整列させられる磁場を有する磁気結合デバイス内に配置されている。第２及び第３の磁石１３０４，１３０６が、第１の磁石１３０２の両側に配置されている。第２及び第３の磁石１３０４，１３０６の磁場のアライメントは、図１２の実施例１２００と同様に、第１の磁石１３０２の軸に対して実質的に垂直であり、概ね互いに対向している。
【００８０】
この場合、第２及び第３の磁場は、第１の磁石１３０２に向かって照準されている。これは第１の磁石１３０２の磁場を示される軸に沿って更に拡張させ、それにより、第１の磁石１３０２の磁場の範囲を増大させる。
【００８１】
この効果は第４及び第５の磁石１３０８，１３１０を用いて更に拡張させられてよい。この実施例において、第４の磁石１３０８は、第１の磁石１３０２の磁場と実質的に反対であるように整列させられる磁場を有する。第５の磁石１３１０は、第２の磁石１３０４の磁場と実質的に一致するように整列させられる並びに第３の磁石１３０６の磁場と実質的に反対である、磁場を有する。第４の磁場１３０８は、磁気結合デバイス内で第３及び第５の磁石１３０６，１３１０の間に配置されている。
【００８２】
５個の磁石のこの配置は、磁束泉を形成するのに適する。５個の磁石を記載するが、より一層大きい強さの磁束泉を形成するために、５個以上の任意の奇数の磁石がこの関係を繰り返してよい。よって、第１の磁石１３０２及び第４の磁石１３０８の磁場はその軸に沿って更に拡張させられてもよく、それはこの磁石の強さを更に増大させることがある。
【００８３】
他の磁気結合デバイスに磁気的に付着するために、類似の配置の磁石を、例示する構成の「上に」(“on  top”)又は「下」(“below”)に配置してよく、よって、例えば、第１及び第４の磁石１３０２，１３０８の磁場が、それらの磁石の上又は下にある対応する磁石と整列させられる。更に、例示する実施例において、第１及び第４の磁石１３０２，１３０８の強さは（個々に）、第２、第３、及び第５の磁石１３０４，１３０６，１３１０よりも強いが、他の実施も想定される。
【００８４】
更に、類似の大きさの磁石を用いる、図１２の実施例１２００は、図１３の実施例１３００と対照的に、増大させられる磁気結合を有することがある。例えば、図１２の実施例１２００は、３つの磁石（例えば、第１、第４、及び第５の磁石１２０２，１２０８，１２１０）を用いて、磁気結合を主にもたらし、２つの磁石、例えば、第２及び第３の磁石１２０４，１２０６は、それらの磁石の磁場を「操縦する」(“steer”)するために用いられる。しかしながら、図１３の実施例１３００は、２つの磁石（例えば、第１及び第４の磁石１３０２，１３０８）を用いて、主に磁気結合をもたらし、３つの磁石、例えば、第２、第３、及び第５の磁石１３０４，１３０６，１３０８は、それらの磁石の磁場を「操縦する」(“steer”)するために用いられる。
【００８５】
従って、類似の大きさの磁石を用いる、図１３の実施例１３００は、図１２の実施例１２００と対照的に、増大させられた磁性アライメント能力を有することがある。例えば、図１３の実施例１３００は、３つの磁石（例えば、第２、第３、及び第５の磁石１３０４，１３０６，１３１０）を用いて、第１及び第４の磁石１３０２，１３０８の磁場を「操縦」(“steer”)し、第１及び第４の磁石は、主に磁気結合をもたらすために用いられる。従って、図１３の実施例１３００における磁石の磁場のアライメントは、図１２の実施例１２００のアライメントよりも近接することがある。
【００８６】
利用する技法に拘わらず、例えば、従来的な整列状態においてそれら自体による類似の強さを有する磁石の使用と比べて、磁石の有効範囲を増大させるために、記載する磁場の「操縦」(“steering”)又は「照準」(“aiming”)が用いられてよいことが、直ちに明らかな筈である。１つ又はそれよりも多くの実施において、これはある量の磁性材料を用いる数ミリメートルから同じ量の磁性材料を用いる数センチメートルへの増大をもたらす。
【００８７】
図１４は、機械的連結突起２０８を示す図２及び８の軸１４００に沿って取られた断面並びにコンピューティングデバイス１０２の空洞９０４の断面をより詳細に描写している。前と同様に、突出部９０２(projection)及び通路９０４は、コンピューティングデバイス１０２に対する接続部分２０２の動きを制限するよう、相補的な大きさ及び形状を有するように構成されている。
【００８８】
この実施例において、接続部分２０２の突出部９０２は、その上に配置される、通路９０２内に配置される相補的な空洞１４０２内に受け入れられるように構成される機械的連結突起２０８も含む。空洞１４０２は、例えば、図８に示すように傾斜した側面を有する実質的に卵形のポストとして構成されるときに、突起１００２を受け入れるように構成されてよいが、他の実施例も想定される。
【００８９】
（例えば、ツールを用いず使用者の両手によって）機械的連結突起２０８の高さ及び空洞１００２の深さに従う長手軸と一致する力が加えられるとき、使用者は磁石によって加えられる磁気結合力を克服して、入力デバイス１０４をコンピューティングデバイス１０２から単に分離する。しかしながら、力が他の軸（例えば他の角度で）加えられるとき、機械的連結突起２０８は、空洞１００２内に機械的に結合(bind)するように構成される。これは、磁気結合デバイス２０４，２０６の磁気力(magnetic  force)に加えて、コンピューティングデバイス１０２からの入力デバイス１０４の取外しに抗する機械的力を生む。
【００９０】
このようにして、機械的連結突起２０８は、書物からページを引き裂くのを真似るよう、コンピューティングデバイス１０２からの入力デバイス１０４の取外しに影響を与えて(bias)、デバイスを分離する他の試みを制限してよい。図１を再び参照すると、使用者は、一方の手で入力デバイス１０４を把持し、他方の手でコンピューティングデバイス１０２を把持し、この比較的「平らな」(“flat”)向きにある間に、デバイスを概ね相互に離れる方向に引っ張ってよい。回転可能なヒンジ１０６の曲げを通じて、突起２０８及び空洞１４０２の軸が概ね整列させられて、取外しを可能にしてよい。
【００９１】
しかしながら、図３乃至７に示す向きような、他の向きで、突起２０８の側面は、空洞１４０２の側面を拘束し、それにより、取外しを制限し、デバイス間の確実な接続を促進する。突起２０８及び空洞１４０２は、その精神及び範囲から逸脱せずに、所望の軸に沿う取外しを促進し且つ他の軸に沿う確実な接続を促進するために、様々な他の方法において相互に方向付けられてよい。
【００９２】
（例示的なシステム及びデバイス）
図１５は、ここに記載する様々な技法を実施してよい１つ又はそれよりも多くのコンピューティングシステム及び／又はデバイスを代表する例示的なコンピューティングデバイス１５０２を含む、例示的なシステムを、概ね１５００で例示している。コンピューティングデバイス１５０２は、例えば、使用者の１つ又はそれよりも多くの手によって把持され且つ運搬されるように形成され且つ寸法取られるハウジングの使用を通じてモバイル構成(mobile  configuration)を取るように構成されてよく、その例示的な実施例は、携帯電話、携帯ゲーム及び音楽デバイス、及びタブレットコンピュータを含むが、他の実施例も想定される。
【００９３】
例示するような例示的なコンピューティングデバイス１５０２は、相互に通信的に連結される、処理システム１５０４と、１つ又はそれよりも多くのコンピュータ可読媒体１５０６と、１つ又はそれよりも多くのＩ／Ｏインターフェース１５０８とを含む。図示しないが、コンピューティングデバイス１５０２は、様々な構成部品を相互に連結する、システムバス又は他のデータ及び命令伝送システムを更に含んでよい。システムバスは、様々なバスアーキテクチャのうちのいずれかを利用する、メモリバス若しくはメモリコントローラ、周辺機器用バス、ユニバーサルシリアルバス、及び／又はプロセッサ若しくはローカルバスのような、異なるシステムバス構造のいずれか１つ又は組み合わせを含み得る。制御装置及びデータ線のような、様々な他の実施例も想定される。
【００９４】
処理システム１５０４は、ハードウェアを用いて１つ又はそれよりも多くの作業を行う機能性を示す。従って、処理システム１５０４は、プロセッサ、機能ブロック等のように構成されてよい、ハードウェア要素１５１０を含むものとして例示されている。これは、１つ又はそれよりも多くの半導体を用いて形成される特定用途向け集積回路又は他のロジックデバイス（論理デバイス）のような、ハードウェア内の実施を含んでよい。ハードウェア要素１５１０は、それらを形成する材料又はそれらにおいて利用される処理機構によって限定されない。例えば、プロセッサは、半導体（複数の半導体）及び／又はトランジスタ（例えば、電子集積回路（ＩＣｓ）で構成されてよい。そのような脈絡において、プロセッサ実行可能な指令は、電子的に実行可能な指令である。
【００９５】
コンピュータ可読記憶媒体１５０６は、メモリ／記憶装置１５１２を含むものとして例示されている。メモリ／記憶装置１５１２は、１つ又はそれよりも多くのコンピュータ可読媒体と関連付けられるメモリ／記憶容量を提示する。メモリ／記憶装置構成部品１５１２は、（ランダムアクセス記憶装置（ＲＡＭ）のような）揮発性媒体及び／又は（読出し専用記憶装置（ＲＯＭ）、フラッシュメモリ、光ディスク、磁気ディスク等のような）不揮発性媒体を含んでよい。メモリ／記憶装置構成部品１５１２は、固定媒体（例えば、ＲＡＭ、ＲＯＭ、固定ハードウェア等）並びに可動媒体（例えば、フラッシュメモリ、取外し可能なハードウェア、光ディスク等）を含んでよい。コンピュータ可読媒体１５０６は、以下に更に記載するように、様々な他の方法において構成されてよい。
【００９６】
入力／出力インターフェース（複数の入力／出力インターフェース）１５０８は、使用者が命令及び情報をコンピューティングデバイス１５０２に入力するのを可能にする、そして、様々な入力／出力デバイスを用いて情報が使用者及び／又は他の構成部品若しくはデバイスに提示されるのも可能にする、機能性を示す。入力デバイスの実施例は、キーボード、カーソル制御デバイス（例えば、マウス）、マイクロホン、スキャナ、タッチ機能性（例えば、物理的な接触を検出するように構成される容量式センサ又は他のセンサ）、（例えば、接触を含まない身振りのような動きを認識する赤外周波数のような非可視波長又は可視波長を利用してよい）カメラ等を含む。出力デバイスの実施例は、ディスプレイデバイス（例えば、モニタ又はプロジェクタ）、スピーカ、プリンタ、ネットワークカード、触覚応答デバイス等を含む。よって、コンピューティングデバイス１５０２は、使用者相互作用をサポートするよう、様々な方法において構成されてよい。
【００９７】
コンピューティングデバイス１５０２は、コンピューティングデバイス１５０２から物理的に及び通信的に取り外し可能である入力デバイス１５１４に通信的に及び物理的に連結されるものとして更に例示されている。このようにして、多種多様な機能性をサポートするために、様々な異なる入力デバイスが、多種多様な構成を有するコンピューティングデバイス１５０２に連結されてよい。この実施例において、入力デバイス１５１４は、感圧キー、機械式切替えキー等として構成されてよい、１つ又はそれよりも多くのキー１５１６を含む。
【００９８】
入力デバイス１５１４は、様々な機能性をサポートするように構成されてよい１つ又はそれよりも多くのモジュール１５１８を含むものとして更に例示されている。１つ又はそれよりも多くのモジュール１５１８は、キーストロークが意図されたものか否かを決定する、入力が静止圧力を示すか否かを決定する、コンピューティングデバイス１５０２を用いた作業のための入力デバイス１５１４の認証をサポートする等のために、例えば、キー１５１６から受信するアナログ信号及び／又はデジタル信号を処理するように構成されてよい。
【００９９】
様々な技法が、ソフトウェア、ハードウェア要素、プログラムモジュールの一般的な脈絡において、ここに記載されることがある。一般的に、そのようなモジュールは、特定のタスクを行う或いは特定の抽象データ型を実施する、ルーチン、プログラム、物体（オブジェクト）、要素（エレメント）、構成要素（コンポーネント）、データ構造等を含む。ここにおいて用いるとき、「モジュール」(“module”)、「機能性」(“functionality”)、及び「構成要素」(“component”)という用語は、ソフトウェア、ファームウェア、ハードウェア、又はそれらの組み合わせを概ね示す。ここに記載する技法の構成は、プラットフォーム非依存であり、それは技法が様々なプロセッサを有する様々な商業的なコンピューティングプラットフォームで実施されてよいことを意味する。
【０１００】
記載するモジュール及び技法の実施は、何らかの形態のコンピュータ可読媒体に格納されてよく或いは何らかの形態のコンピュータ可読媒体を通じて送信されてよい。コンピュータ可読媒体は、コンピューティングデバイス１５０２によってアクセスされてよい様々な媒体を含んでよい。一例として、非限定的に、コンピュータ可読媒体は、「コンピュータ可読記憶媒体」及び「コンピュータ可読信号媒体」を含んでよい。
【０１０１】
「コンピュータ可読記憶媒体」(“computer-readable  storage  media”)は、単なる信号送信、搬送波、又は信号自体と対照的に、情報の持続性の及び／又は不揮発性の格納を可能にする媒体及び／又はデバイスを指すことがある。よって、コンピュータ可読記憶媒体は、非信号生成(non-signal  bearing)媒体を指す。コンピュータ可読記憶媒体は、コンピュータ可読指令、データ構造、プログラムモジュール、ロジック要素／回路、又は他のデータのような、情報の格納に適した方法又は技術において実施される、揮発性の及び不揮発性の、取外し可能な及び取外し不能な、媒体及び／又は格納デバイスのような、ハードウェアを含む。コンピュータ可読記憶媒体の実施例は、ＲＡＭ、ＲＯＭ、ＥＥＰＲＯＭ、フラッシュメモリ若しくは他のメモリ技術、ＣＤ−ＲＯＭ、デジタル多用途ディスク（ＤＶＤ）若しくは他の光記憶装置、ハードディスク、磁気カセット、磁気テープ、磁気ディスク記憶装置若しくは他の磁気記憶デバイス、又は他の記憶デバイス、有形媒体、又はコンピュータによってアクセスされてよい所望の情報を格納するのに適した製造物品を含んでよいが、それらに限定されない。
【０１０２】
「コンピュータ可読信号媒体」(“computer-readable  signal  media”)は、例えば、ネットワークを介して、コンピューティングデバイス１５０２のハードウェアに指令を送信するように構成される、信号生成媒体を指すことがある。信号媒体は、典型的には、コンピュータ可読指令、データ構造、プログラムモジュール、搬送波のような、変調データ信号中の他のデータ、データ信号、又は他の伝送機構を具現してよい。信号媒体は、任意の情報給送媒体も含む。「変調データ信号」(“modulated  data  signal”)という用語は、信号内の情報を符号化するような方法において設定され或いは変更されるその特性のうちの１つ又はそれよりも多くのを有する信号を意味する。一例として、非限定的に、通信媒体は、有線ネットワーク又は直接線接続のような有線媒体と、音響、ＲＦ、赤外のような無線媒体、及び他の無線媒体とを含む。
【０１０３】
前述のように、ハードウェア要素１５１０及びコンピュータ可読媒体１５０６は、例えば、１つ又はそれよりも多くの指令を行うために、ここに記載する技法の少なくとも幾つかの特徴を実施するよう幾つかの実施態様において利用されてよいハードウェア携帯において実施される、モジュール、プログラマブルデバイスロジック及び／又は固定デバイスロジックの代表である。ハードウェアは、集積回路又はオンチップシステム、特定用途向け集積回路（ＡＳＩＣ）、フィールドプログラマブルゲートアレイ（ＦＰＧＡ）、複雑プログラマブルロジックデバイス（ＣＰＬＤ）、及びシリコン又は他のハードウェア内の他の実施の構成部品を含んでよい。この脈絡において、ハードウェアは、ハードウェアによって具現される指令及び／又はロジックによって定められるプログラムタスクを行う処理デバイス、並びに実行のための指令を格納するために利用されるハードウェア、例えば、前述のコンピュータ可読記憶媒体として動作してよい。
【０１０４】
ここに記載する様々な技法を実施するために、前述のものの組み合わせが利用されてもよい。従って、ソフトウェア、ハードウェア、又は実行可能なモジュールが、何らかの形態のコンピュータ可読記憶媒体に具現される１つ又はそれよりも多くの指令及び／又はロジックとして且つ／或いは１つ又はそれよりも多くのハードウェア要素１５１０によって、実施されてよい。コンピューティングデバイス１５０２は、ソフトウェア及び／又はハードウェアモジュールに対応する特定の指令及び／又は機能を実施するように構成されてよい。従って、ソフトウェアとしてコンピューティングデバイス１５０２によって実行可能なモジュールの実施は、例えば、処理システム１５０４のハードウェア要素１５１０及び／又はコンピュータ可読記憶媒体の使用を通じて、少なくとも部分的にハードウェアにおいて達成されてよい。指令及び／又は機能は、ここに記載する技法、モジュール、及び実施例を実施するために、１つ又はそれよりも多くの製造物品（例えば、１つ又はそれよりも多くのコンピューティングデバイス１５０２及び／又は処理システム１５０４）によって実行可能／動作可能であってよい。
【０１０５】
（結論）
例示的な実施を構造的構成及び／又は方法論的行為に特異な言語において記載したが、付属の請求項中に定められる実施は、記載する具体的な構成又は行為に必ずしも限定されない。むしろ、具体的な構成及び行為は、請求する構成を実施する例示的な形態として開示されている。
【図１】
0006391705.tif 000002
【図２】
0006391705.tif 000003
【図３】
0006391705.tif 000004
【図４】
0006391705.tif 000005
【図５】
0006391705.tif 000006
【図６】
0006391705.tif 000007
【図７】
0006391705.tif 000008
【図８】
0006391705.tif 000009
【図９】
0006391705.tif 000010
【図１０ａ】
0006391705.tif 000011
【図１０ｂ】
0006391705.tif 000012
【図１１】
0006391705.tif 000013
【図１２】
0006391705.tif 000014
【図１３】
0006391705.tif 000015
【図１４】
0006391705.tif 000016
【図１５】
0006391705.tif 000017